(57)【要約】【課題】  無線電力伝送において安全性と利便性の向上を目的とする。【解決手段】  無線電力伝送を行うための通信を行う通信手段と、前記無線電力伝送装置と無線電力伝送可能な範囲内に配置された物体と前記通信手段による通信が行えない場合、無線電力伝送を制限する制限手段と、前記無線電力伝送装置と無線電力伝送可能な範囲内に配置された物体と前記通信手段による通信が行えない場合、ユーザ指示に応じて無線電力伝送を開始する制御手段と、を有することを特徴とする無線電力伝送装置。【選択図】  図１
2014212648.tif 000002
【特許請求の範囲】
【請求項１】
無線電力伝送を行う無線電力伝送装置であって、
無線電力伝送を行うための通信を行う通信手段と、
前記無線電力伝送装置と無線電力伝送可能な範囲内に配置された物体と前記通信手段による通信が行えない場合、無線電力伝送を制限する制限手段と、
前記無線電力伝送装置と無線電力伝送可能な範囲内に配置された物体と前記通信手段による通信が行えない場合、ユーザ指示に応じて無線電力伝送を開始する制御手段と、
を有することを特徴とする無線電力伝送装置。
【請求項２】
前記通信手段による通信に基づく第１の無線電力伝送と前記制御手段に基づく第２の
無線電力伝送を行う無線電力伝送手段を更に有することを特徴とする請求項１に記載の通信装置。
【請求項３】
前記第１の無線電力伝送と前記第２の無線電力伝送は電力値が異なることを特徴とする請求項１または２に記載の無線電力伝送装置。
【請求項４】
前記無線電力伝送装置と無線電力伝送可能な範囲内に配置された物体を検出する検出手段とを更に有することを特徴とする請求項１乃至３何れか１項に記載の無線電力伝送装置。
【請求項５】
前記検出手段は、無線電力伝送可能な範囲内に配置された物体を無線電力伝送に用いるアンテナのインピーダンスに基づいて検出することを特徴とする請求項４に記載の無線電力伝送装置。
【請求項６】
前記無線電力伝送装置と無線電力伝送可能な範囲内に配置された物体の検出に応じて、警告を表示させる表示制御手段とを更に有することを特徴とする請求項１乃至５何れか１項に記載の無線電力伝送装置。
【請求項７】
前記無線電力伝送装置と無線電力伝送可能な範囲内に配置された物体の検出に応じて、前記ユーザ指示を受付ける入力手段とを更に有することを特徴とする請求項１乃至６何れか１項に記載の無線電力伝送装置。
【請求項８】
前記制限手段は、前記制御手段により開始された無線電力伝送に応じて、前記通信手段による通信が開始されない場合、前記無線電力伝送を停止させることを特徴とする請求項１乃至７何れか１項に記載の請求項１乃至７何れか１項に記載の無線電力伝送装置。
【請求項９】
前記無線電力伝送手段は、前記制御手段により開始された無電力伝送に応じて、前記通信手段による通信が開始された場合、前記第１の無線電力伝送を開始することを特徴とする請求項２または３に記載の無線電力伝送装置。
【請求項１０】
無線電力伝送を行う無線電力伝送装置の制御方法であって、
無線電力伝送を行うための通信を行う通信工程と、
前記無線電力伝送装置と無線電力伝送可能な範囲内に配置された物体と前記通信工程による通信が行えない場合、無線電力伝送を制限する制限工程と、
前記無線電力伝送装置と無線電力伝送可能な範囲内に配置された物体と前記通信工程における通信が行えない場合、ユーザ指示に応じて無線電力伝送を開始する制御工程と、
を有することを特徴とする無線電力伝送装置の制御方法。
【請求項１１】
請求項１０に記載の制御方法をコンピュータに実行させるためプログラム。
【発明の詳細な説明】
【技術分野】
【０００１】
本発明は無線電力伝送に関する。
【背景技術】
【０００２】
近年、コネクタで接続することなく無線（非接触）で電力を送信する送電装置と、送電装置から供給された電力を受電する受電装置とを含む無線電力伝送システムが知られている。特許文献１では、自動車への無線自動車のドアの施錠及び解錠を無線で行うキー中に、電力伝送の開始を送電装置に指示するためのスイッチを設けている。
【先行技術文献】
【特許文献】
【０００３】
【特許文献１】特開２０１２−２５１３７４
【発明の概要】
【発明が解決しようとする課題】
【０００４】
送電装置の無線電力伝送可能な範囲に無線電力伝送に対応していない物体（例えば導体等の異物）が配置された場合、該物体に発熱が発生してしまうという問題がある。この問題に対して送電装置の無線電力伝送可能な範囲に配置された物体が無線電力伝送に対応している物体かを通信を用いて検出することが考えられる。しかしながら、受電装置の電池残量がこのような通信を行えないほど枯渇している場合、いつまでも送電装置が受電装置と通信を行えず、受電装置を異物と判断し、充電が開始されなくなる恐れがある。
【０００５】
特許文献１は、ユーザ操作に基づいて無線電力伝送の開始を指示できるものだが、ユーザが見落として無線電力伝送に対応していない異物が無線電力伝送可能な範囲に存在している場合でも開始されてしまう。したがって、従来技術は、無線電力伝送における安全性と例えば受電装置の電池残量が枯渇している場合にも無線電力伝送を開始することができるような利便性との両立という観点では改善の余地がある。
【０００６】
本発明は、無線電力伝送における安全性と利便性との両立を目的とする。
【課題を解決するための手段】
【０００７】
本発明に係る無線電力伝送装置は、無線電力伝送を行うための通信を行う通信手段と、前記無線電力伝送装置と無線電力伝送可能な範囲内に配置された物体と前記通信手段による通信が行えない場合、無線電力伝送を制限する制限手段と、前記無線電力伝送装置と無線電力伝送可能な範囲内に配置された物体と前記通信手段による通信が行えない場合、ユーザ指示に応じて無線電力伝送を開始する制御手段と、を有することを特徴とする。
【発明の効果】
【０００８】
本発明は、無線電力伝送における安全性と利便性とを向上することができる。
【図面の簡単な説明】
【０００９】
【図１】無線電力伝送システムの構成を示す図である。
【図２】送電装置の構成を示す図である。
【図３】受電装置の構成図示す図である。
【図４】送電装置の動作を示すフローチャートである。
【図５】無線電力伝送システムの外観を示す図である。
【図６】表示器の表示例を示す図である。
【図７】受電装置の動作を示すフローチャートである。
【図８】送電装置の動作を示すフローチャートである。
【発明を実施するための形態】
【００１０】
本発明に係る実施の形態の一例を図面を用いて説明する。図１は本発明の実施の形態を表す非接触送受電システム（無線電力伝送システム）のブロック図である。１０１は送電を行う無線電力伝送装置である送電装置、１２１は送電装置から無線を用いて送電された電力を受電する無線電力伝送装置である受電装置である。
【００１１】
送電装置１０１、受電装置１２１の夫々は、送電装置１０１と受電装置１２１間で非接触送受電する際の送受電に関するネゴシエーション、認証を行うための通信を実行する通信部１０２、通信部１２２を有する。通信部１０２、通信部１２２は、例えばブルートゥース（登録商標）ＩＥＥ８０２．１１シリーズに準拠した無線ＬＡＮで通信を行う。１０６、１２７は通信部１０２、通信部１２２による通信に用いる無線信号を送受するためのアンテナである。１０４は送電装置１０１の送電制御部であり、送電に係る制御を行う。送電部１０４は送電線１０３から入力される直流、または交流電力を交流周波数電力に変換し、無線電力伝送を行うためのアンテナ１０５を介して送電する。１３１は送電開始スイッチであり、送電装置１０１の外部に具備される。送電開始スイッチ１３１は、使用者が操作に応じて、ＯＮ／ＯＦＦを切替える。送電開始スイッチ１３１は、ＯＮ状態を指示されるとＯＮ状態を通知する信号を送電部１０４に通知する。送電開始スイッチ１３１は、ＯＦＦ状態を指示されるとＯＦＦ状態を通知する信号を送電部１０４に通知する。
【００１２】
送電開始スイッチ１３１の外観を図５に示す。図５（ａ）は、送電開始スイッチ１３１が押しボタンスイッチである場合の送電装置１０１上に受電装置１２１が置かれている図である。図５（ｂ）は送電開始スイッチ１３１がスライドスイッチ、シーソースイッチである場合の送電装置１０１上に受電装置１２１が置かれている図である。この送電開始スイッチ１３１は外部から操作できるスイッチであれば形状及び機能は特段の規制はない。
【００１３】
１３２は送電装置の状態を表示する表示器であり、同様に送電装置の外部に具備され、使用者が表示内容を確認する事ができる。表示器１３２は、各種表示を行う表示部でありＬＣＤやＬＥＤのように視覚で認知可能な情報の出力、あるいはスピーカなどの音出力が可能な機能を有する。表示器１３２は視覚情報および音情報の少なくともどちらか一方を出力する機能を備えるものである。表示器１３２は視覚情報を表示する場合、表示する視覚情報に対応する画像データを保持するＶＲＡＭ（Ｖｉｄｅｏ  ＲＡＭ）を有する。表示器１３２は、ＶＲＡＭに格納した画像データをＬＣＤやＬＥＤに表示させ続ける表示制御を行う。
【００１４】
１２４は、受電装置１２１の受電アンテナ１２４である。受電アンテナ１２４は、送電装置１０１の送電アンテナ１０５から送られた電力を受電するためのアンテナである。受電アンテナ１２４により受電した電力は受電部１２３に入力される。受電部１２３は、受電に係る制御を行う。１２６は、受電部１２３から受電された電力を用いて動作する機能部である。機能部１２６は、例えば、本受電装置がプリンタであれば、プリントエンジン、表示器などのハードウェアである。また、例えば、本受電装置がデジタルカメラであれば、撮像機能を実現するための撮像素子、レンズ、表示器などのハードウェアである。また、例えば、本受電装置が携帯電話であれば、表示器、電話機能を実現するためのハードウェアである。
【００１５】
図２は、送電装置１０１の構成図である。送電部１０４は、制御部２０１、電力制御部２０２、送電ゲート２０３、変換部２０４、検出部２１０により構成される。制御部２０１は、不図示のＲＡＭまたはＲＯＭにより構成される記憶装置に保持される制御プログラムを実行することにより装置全体を制御する制御部である。制御部２０１は例えばＣＰＵ（Ｃｅｎｔｒａｌ  Ｐｒｏｃｅｓｓｉｎｇ  Ｕｎｉｔ）により構成される。また、制御部２０１は制御プログラムの実行により、通信制御部２０５、送電制御部２０６、入力部２０７、表示制御部２０８、判定部２０９の機能を有する。これらの詳細は後述する。電力制御部２０２は、定電圧電源により構成される。電力制御部２０２は、送電する電力を制御する。送電ゲート２０３はゲートであり、ＯＮ（接続）状態となることで送電が開始される。また、送電ゲート２０３がＯＦＦ状態（非接続）する事で送電は停止される。制御部２０１の送電制御部２０６は、送電ゲート２０３のＯＮ／ＯＦＦ制御を行う。
【００１６】
検出部２１０は、送電アンテナ１０５のインピーダンスの変化を検出し、検出結果を判定部２０９に通知する。判定部２０９は、検出部２１０により通知された検出結果に基づいて送電装置１０１上（送電装置が無線電力伝送可能な範囲）に配置された物体の存在を判定する。また、判定部２０９は、通信部１０２によるネゴシエーションや認証のための通信の有無に基づいて、送電装置１０１上に配置された物体が無線電力伝送に対応していない例えば導体等の物体（以下「異物」と称する）かどうかを判定する。２０４は変換部であり、電力制御部２０２から受けた直流電源、または商用電源等の交流電源を電力伝送用の周波数に変換する。通信制御部２０５は通信部１０２の通信を制御し、受電装置１２１との送受電に関するネゴシエーションや認証を行うための通信を制御する。送電制御部  
２０６は送電ゲート２０３のＯＮ／ＯＦＦを制御する。２０７は入力部で送電装置１０１の外部に具備された送電開始スイッチ１３１の状態を検出する。表示制御部２０８は送電装置１０１の外部に具備された表示器１３２に表示制御を行う。
【００１７】
判定部２０９は送電装置１０１上に異物が載せられたか否かを判断する。送電装置１０１は送電装置１０１上に導体等の異物が置かれた場合に送電を開始すると発熱等が発生し、危険な状態になる事がある。これを予防するため、送電装置１０１は送電ゲート２０３を定期的に短時間ＯＮする。そして、送電ゲート２０３をＯＮした時に検出部２１０により送電アンテナ１０５のインピーダンスの変化を判定部２０９がデータを取り込み、所定の期間におけるインピ−ダンス変化が閾値を超えたか否かを判断する。判定部２０９は、所定の期間におけるインピ−ダンス変化が閾値を超えたと判断された場合、送電装置１０１上に物体が載せられたと判断する。また、送電装置１０１上に載せられた物体と通信部１０２を用いた通信により送受電ネゴシエーションまたは認証ができた場合、該物体を異物ではなく、無線電力伝送に対応した受電装置であると判定する。なお、通信によるネゴシエーションまたは認証と送電装置１０１上に物体の上に載せられたことの検出の時間的な前後関係は問わない。通信によるネゴシエーションまたは認証の後に送電装置１０１上に物体の検出を以て、送電を開始してよい。また、送電装置１０１上に物体の検出の後に通信によるネゴシエーションまたは認証を以て、送電を開始してよい。送電装置１０１は、送電装置１０１上に載せられた物体が無線電力伝送に対応した受電装置と確認された場合、送電ゲート２０３をＯＮし、送電を開始する。
【００１８】
図３は、受電装置１２１の構成図である。受電部１２３は、整流部３０１、充電制御部３０２、蓄電池３０３、蓄電池制御部３０４、放電スイッチ３０５、制御部３０６、送電線３０７により構成される。整流部３０１は送電装置１０１から受電アンテナ１２４で受電した電力を直流に変換する。充電制御部３０２は受電装置１２１に具備された蓄電池３０３の充電の制御を行う。なお、本実施形態において受電装置１２１は、受電した電力は蓄電池の充電に消費しているが、必ずしも蓄電池３０３の充電に使用する必要はなく、機能部１２６に直接給電するように構成してよい。また、例えば、通信部１２２に対して優先して給電するようにして良い。また、充電機能において重要と考えられる部分に優先して給電し、該部分が給電した電力を消費するようにしてよいし、他の優先順位の高い部位が消費しても良い。蓄電池制御部３０４は蓄電池３０３の出力電圧を監視し、蓄電池３０３の放電するもしくは放電停止の制御を行う。放電スイッチ３０５は、蓄電池３０３の放電／停止を制御する。放電スイッチ３０５がＯＮ状態（接続）の場合、各ハードウェアへ電力を供給する。また、放電スイッチ３０５がＯＦＦ状態（非接続）の場合、各ハードウェアへ電力の供給を停止する。蓄電池制御部３０４は放電スイッチ３０５のＯＮまたはＯＦＦの制御を行う。
【００１９】
制御部３０６は不図示のＲＡＭまたはＲＯＭにより構成される記憶装置に保持される制御プログラムを実行することにより装置全体を制御する制御部である。制御部３０６は例えばＣＰＵ（Ｃｅｎｔｒａｌ  Ｐｒｏｃｅｓｓｉｎｇ  Ｕｎｉｔ）により構成される。
この制御部３０６は、蓄電池３０３から供給される電力で動作し、その電力は送電線３０７により供給される。この機能部１２６への電力供給も送電線３０７により行われる。
【００２０】
以上の構成を有する非接触送受電システムの動作について説明する。本非接触送受電システムにおける送電装置の動作を図４のフローチャートを用いて説明する。
【００２１】
まず、送電装置１０１において処理を開始する（Ｓ４０１）。そして、制御部２０１は、通信部１０２による受電装置から送受電に関するネゴシエーションまたは認証の要求が行われたかを判断する（Ｓ４０２）。通信部１０２が、受電装置から送受電に関するネゴシエーションまたは認証の要求を受信した場合、通信部１０２は通信により充電情報を交換する。ここで交換される充電情報は、例えば、対応する方式、伝送電力量、送電期間、識別子、認証情報等に関する情報である。続いて、判定部２０９は、検出部２１０により検出されるインピーダンスの変化に基づいて受電装置が送電装置１０１の送電可能な範囲に配置されたか否かを判断する（Ｓ４０４）。なお、Ｓ４０４における判定は、Ｓ４０３において通信を行った装置が送電装置１０１の送電可能な範囲に配置されたか否かを含めて判定してよい。例えば、判定部２０９は、Ｓ４０３において通信した装置の識別子とＳ４０４で物体を検出した際のインピーダンスの変化に基づく通信（負荷変調）により通知される識別子が等しいかの認証を行う。判定部２０９は、該認証結果に基づいてＳ４０３において通信を行った装置と送電装置１０１の送電可能な範囲に配置された物体とが同一かを判定することができる。Ｓ４０４により物体を検出したと判定された場合、送電制御部２０６は、送電を開始する（Ｓ４０５）。なお、送電制御部２０６は、Ｓ４０３において行ったネゴシエーションに基づいて、送電電力量、送電期間などを制御してよい。なお、Ｓ４０４により物体を検出した後にＳ４０３における通信を実行する構成として良い。
【００２２】
そして、送電制御部２０６は、開始した送電を終了するかを判定する（Ｓ４０６）。送電制御部２０６は、通信部１０２により受電装置から満充電または電力供給の停止指示またはエラー通知を受信した場合に送電を終了すると判定する。また、送電制御部２０６は、Ｓ４０３におけるネゴシエーションにおいて定めた期間の送電が完了した場合、送電を終了すると判定する。送電制御部２０６は、送電を終了すると判定した場合に送電を終了し、処理を終了する。
【００２３】
このように、送電装置１０１は送受電のネゴシエーションが送電装置１０１の通信部１０２、受電装置１２１の通信部１２２により行われた事により、置かれた物体が異物ではないと判断し電力の送受電を開始する。これは、蓄電池３０３が受電装置１２１の通信部１２２を動作可能である規定電圧以上の場合であるので通常時の送受電の動作となる。この場合は、送受電開始スイッチ１３１を操作する必要はない。
【００２４】
一方、受電装置１２１は、蓄電池３０３の出力電圧が、受電装置１２１の通信部１２２を動作可能である規定電圧未満であると蓄電池制御部３０４が判断した場合は放電スイッチ３０５をＯＦＦにする。これで受電装置１２１の制御部３０６、通信部１２２、機能部等の全ての機能が停止する。この場合に受電装置１２１が受電動作を開始したい場合においても通信部１２２による送受電に関するネゴシエーションまたは認証が不可能である。
このような場合（Ｓ４０２のＮＯ）においても、送電装置１０１及び受電装置１２１の使用者は、受電装置１２１に受電させるために受電装置１２１を送電装置１０１上に置く。
【００２５】
送電装置１０１は既述したように送電ゲート２０３を定期的に短時間ＯＮ／ＯＦＦを繰り返し、異物検出を行っている。通信部１２２によるネゴシエーションがない場合に定期的に行う判定部２０９による物体検知（Ｓ４０７）した場合、表示制御部２０８は警告を表示させる（Ｓ４０８）。該警告の一例を図６に示す。表示器１３２に「異物が乗りました」との表示による警告が行われる（図６（ａ））。また、図６（ｄ）に示すように、「物体を検出しましたが、通信を行えません。異物であるかを確認してください。」等のように受電装置以外のものが載っている可能性があることの通知であってよい。また、「台上の装置に充電を介しする場合はスイッチを操作して下さい。  」等のように電池残量が所定に値より小さく、通常の受電シーケンスを動作できない受電装置である場合は、所定の動作をユーザに通知するための通知であってよい。また、「スイッチを操作する場合は台上に充電対象以外の物体を除いて下さい。  」などのように異物を除去することを促す通知であってよい。
【００２６】
続いて、入力部２０７は、送電開始スイッチ１３１がＯＮ状態となったか否かの判定を行う（Ｓ４１０）。制御部２０１は、物体が検出されてから所定期間内にボタンが操作されなければ、警告を表示器に表示させ（Ｓ４１４）、処理を終了する。なお、この場合、判定部２０９により該物体が除去されたことを確認できないかぎり、送電処理を開始（Ｓ４０１からの処理）できないように  構成してよい。Ｓ４１４における警告は、例えば図６（ｅ）のように物体の除去を促す警告であってよい。
【００２７】
一方ユーザは、送電装置１０１上に配置した装置の充電を希望する場合は、送電開始スイッチ１３１をＯＮに操作する。
【００２８】
なお、制御部２０１は送電装置１０１の送電開始スイッチ１３１が押下された場合、更に警告を表示する構成として良い。例えば、表示制御部２０８は、図６（ｂ）のように充電を開始するかを確認するための表示を行う、この場合、入力部２０７は再度送電開始スイッチ１３１が押下され場合に送電を開始する。
【００２９】
Ｓ４１０において、入力部２０７により送電開始スイッチ１３１が押下された事を検出した場合、送電制御部２０６は、初期充電を開始する（Ｓ４１１）。送電制御部２０６は送電ゲート２０３をＯＮし、送電アンテナ１０５より受電装置１２１に電力を送電する。なお、Ｓ４１１で行われる初期充電は、Ｓ４０５において行われる送電より電力を小さくするようにしてよい。異物が送電装置１０１条に配置された状態でユーザが誤って送電開始スイッチ１３１を操作してしまった場合でも、異物の発熱や故障を低減させるためである。同様にＳ４１１で行われる初期充電は、Ｓ４０５において行われる送電より期間を小さくするようにしてよい。また、初期充電は予め決められた初期充電用の送電パターンにより送電を行うようにして良い。受電装置に初期充電であることを認識させるためである。初期充電用の送電パターンは、例えば送電のＯＮ，ＯＦＦの周期に基づいて定めてよい。また、初期充電用の送電パターンは、例えば送電の電力値、送電時間に基づいて定めてよい。そして、初期誘電を開始した場合、制御部２０１は、通信部１０２による受電装置から送受電に関するネゴシエーションまたは認証の要求を受信したかを判断する（Ｓ４１２）。Ｓ４１２において、ネゴシエーションに関する通信が所定期間経過しても開始されない場合、送電装置１０１上に配置された物体は異物であると判断し、初期充電を終了し、警告を表示する（Ｓ４１４）。一方、Ｓ４１２において、ネゴシエーションに関する通信が開始されたとすると制御部２０１は、送電装置１０１上に配置された物体は受電装置であると判断する。また、Ｓ４１２において、ネゴシエーションに関する通信が開始されたとすると蓄電池の出力電圧が通信部を動作させるのに十分でなった受電装置が初期充電により、蓄電池の出力電圧が通信部を動作させるのに十分に充電ができたこととなる。
【００３０】
そして、通信部１０２は通信により充電情報を交換し、（Ｓ４１３）該交換した充電情報に基づく通常の送電を開始する（Ｓ４０５）。
【００３１】
これにより、受電装置１２１の動作を行うに十分ではない蓄電量である場合に通信部１２２における送受電に関するネゴシエーションが出来ない状況においても送受電を可能にできる。
【００３２】
なお、送電開始スイッチ１３１は押しボタンスイッチを想定したが、スライドスイッチやシーソースイッチでもよい。効果は変わらない（図５（ｂ））。この場合はＳ４０９における表示を図６（ｃ）のように「異物が乗りました」「充電しますか」を同時に表示する。また、該表示の際にスライドスイッチ、シーソースイッチを動作させた場合、送電を開始する動作にすれば良い。
【００３３】
なお、Ｓ４１０において送電スイッチが押下されたことを所定期間に検知できなった場合、送電を行っていれば該送電を停止するようにしてもよい。そして、物体の除去が確認された場合に、ユイーザ指示に従って送電を開始しても良い。
【００３４】
続いて、本実施形態における受電装置１２１に係る動作を図７を用いて説明を行う。受電装置１２１は、蓄電池３０３の電力残量に応じて処理が異なる。蓄電池３０３の電力残量が通信部１２２を動作させるのに十分である場合（Ｓ７０１、Ｓ７０２ＹＥＳ）受電モードに設定する（Ｓ７０３）。受電モードの設定は、ユーザ指示に従って設定してもよい。また、受電モードの設定は、送電装置からの送電または送電に用いる電磁界の見地に応じて設定してもよい。また、受電モードの設定は、通信部１２２かによる送電装置からの所定の信号の受信に応じて設定してもよい。受電モードに設定された場合、通信部１２２は、送受電に関するネゴシエーションまたは認証の要求を送信し、通信部１０２は通信により充電情報を交換する（Ｓ７０４）、そして、受電部１２３は、送電装置から送電された電力の受電を開始する（Ｓ７０６）。そして、受電部１２３は、満充電、もしくはエラーが発生したかを判断し（Ｓ７０７）、受電が不要と判断された場合送電装置に対して供給停止指示を送信する（Ｓ７０８）。そして、処理を終了する。
【００３５】
一方、蓄電池３０３の電力残量が通信部１２２を動作させるのに十分でない場合（Ｓ７０２ＮＯ）受電部１２３は、初期充電が開始されたかを判定する（Ｓ７０４）。Ｓ７０４の判定は、予め決められた初期充電用の送電パターンにより送電が行われているかに基づいて判定する。受電装置１２１が初期充電により動作可能なまでに充電された場合、制御部３０６へ電力の供給を開始する。そして、制御部３０６は、初期充電であるかを送電パターに基づいて判定する。初期充電であることが判定された場合、蓄電池制御部３０４は、蓄電池３０３の充電量、例えば電圧値が規定電圧以上になったか否かを判定する（Ｓ７０５）。蓄電池制御部３０４により通信が可能になったと判定されたばＳ７０３に処理を進め、通信部１２２による通信を開始し、通常の充電シーケンスを行う。
【００３６】
以上説明したように、受電装置の蓄電池の電圧が規定電圧未満になり、送受電に関する情報を通信部で送受信を行う事が出来ない場合においても、送送電装置から受電装置に電力を送電する事が出来る。したがって、無線電力伝送における異物に対する送電を行うことが低減されると共に、受電装置の電池残量が枯渇している場合にも無線電力伝送を開始することができる。このように本実施形態によれば、無線電力伝送における安全性と利便性とを両立することができる。
【００３７】
なお、上述の説明において送電装置は、物体を検出した場合に無線電力伝送のための通信が行われない場合に、ユーザ操作に応じて初期誘電を開始したが、ユーザ指示無しに自動で初期充電を開始して良い。この場合、例え送電装置に配置された物体が異物であったとしても発熱が生じない程度に制限されたで送電電力値で初期充電を行う構成としてよい。このようにすることで、ユーザ指示無しに受電装置の電池残量が枯渇している場合にも無線電力伝送を開始することができる。また、この場合でも初期充電が開始されて所定時間経過しても通信が開始されない場合は初期充電を終了する。このようにすることで異物は送電により発熱や故障を行うことがなくなる。
【００３８】
上述の実施形態では、無線電力伝送を行う無線電力伝送装置が、無線電力伝送装置と無線電力伝送可能な範囲内に配置された物体と無線電力伝送を行うための通信を行えない場合、無線電力伝送を制限する。また、該制限する機能とともに無線電力伝送装置と無線電力伝送可能な範囲内に配置された物体と無線電力伝送を開始するための処理をユーザ指示に応じて実行する機能も併せて設ける。このように本実施形態によれば、無線電力伝送における安全性と利便性とを両立することができる。
【００３９】
また、本実施形態における無線電力伝送装置は通信に基づく第１の無線電力伝送と第２の無線電力伝送を行う。第２の無線電力伝送の一例は初期充電である。第１の無線電力伝送と前記第２の無線電力伝送は電力値が異なる。また、本実施形態における無線電力伝送装置は無線電力伝送可能な範囲内に配置された物体を検出する。また、該検出は無線電力伝送に用いるアンテナのインピーダンスに基づいて行われる。また、本実施形態における無線電力伝送装置は無線電力伝送可能な範囲内に配置された物体の検出に応じて、警告を表示させる。また、無線電力伝送装置と無線電力伝送可能な範囲内に配置された物体の検出に応じて、ユーザ指示を受付ける。また初期充電に応じて無線電力伝送に関する通信が開始されない場合、該初期充電を停止させる。
【００４０】
また、本実施形態における無線電力伝送装置は開始した初期充電に応じて、無線電力伝送に関する通信が開始された場合、該通信に基づく第１の無線電力伝送を開始する。
【００４１】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014212648.tif 000003
【図２】
2014212648.tif 000004
【図３】
2014212648.tif 000005
【図４】
2014212648.tif 000006
【図５】
2014212648.tif 000007
【図６】
2014212648.tif 000008
【図７】
2014212648.tif 000009
【図８】
2014212648.tif 000010